(57)【要約】【課題】利用者に対して汚れのない通帳を発行する通帳取引装置を提供する。【解決手段】通帳を収納する収納部と、通帳を繰り出す繰出しローラと、繰出しローラによって繰り出された通帳を排出する排出部と、繰出しローラによって繰り出された通帳を回収する回収部と、繰出しローラと排出部と回収部との間で通帳を搬送する搬送路と、収納部に新たな通帳がセットされてからの時間を計時し、計時した時間が所定の時間を経過したか否かを判定し、計時した時間が所定の時間を経過したと判定した場合、通帳を、繰出しローラから回収部まで搬送路上を搬送させ、通帳を回収する制御部と、を備える。【選択図】図１
2011235489.tif 000002
【特許請求の範囲】
【請求項１】
通帳を収納する収納部と、
前記通帳を繰り出す繰出しローラと、
前記繰出しローラによって繰り出された前記通帳を排出する排出部と、
前記繰出しローラによって繰り出された前記通帳を回収する回収部と、
前記繰出しローラと前記排出部と前記回収部との間で前記通帳を搬送する搬送路と、
前記収納部に新たな前記通帳がセットされてからの時間を計時し、計時した時間が所定の時間を経過したか否かを判定し、計時した時間が所定の時間を経過したと判定した場合、前記通帳を、前記繰出しローラから前記回収部まで前記搬送路上を搬送させ、前記通帳を回収する制御部と、
を備えることを特徴とする通帳取引装置。
【請求項２】
通帳を収納する収納部と、
前記通帳を繰り出す繰出しローラと、
前記繰出しローラによって繰り出された前記通帳を排出する排出部と、
前記繰出しローラによって繰り出された前記通帳を回収する回収部と、
前記繰出しローラと前記排出部と前記回収部との間で前記通帳を搬送する搬送路と、
前記収納部に新たな前記通帳がセットされてからの時間を計時し、計時した時間が所定の時間を経過したか否かを判定し、計時した時間が所定の時間を経過したと判定した場合、前記収納部に収納された複数の前記通帳のうち、前記繰出しローラを所定量回転させて前記繰出しローラに当接する前記通帳の位置を動かすことにより、前記繰出しローラに当接する前記通帳の前記繰出しローラに当接する部分をずらし、前記繰出しローラに当接する部分をずらした状態で前記通帳を保持させる制御部と、
を備えることを特徴とする通帳取引装置。
【請求項３】
通帳を収納する収納部と、
前記通帳を繰り出す繰出しローラと、
前記繰出しローラによって繰り出された前記通帳を排出する排出部と、
前記繰出しローラによって繰り出された前記通帳を回収する回収部と、
前記繰出しローラと前記排出部と前記回収部との間で前記通帳を搬送する搬送路と、
前記搬送路上の、前記繰出しローラに対して下流の位置に配置され、前記繰出しローラのピッチとは異なるピッチを有する搬送ローラと、
前記収納部に新たな前記通帳がセットされてからの時間を計時し、計時した時間が所定の時間を経過したか否かを判定し、計時した時間が所定の時間を経過したと判定した場合、前記通帳を、前記繰出しローラから前記搬送ローラまで搬送させ、前記搬送ローラに前記通帳を保持させる制御部と、
を備えることを特徴とする通帳取引装置。
【請求項４】
前記繰出しローラから前記排出部までの間に配置され、ピッチがそれぞれ異なる複数の前記搬送ローラを有する前記通帳を一時的に退避させる退避搬送路をさらに備え、
前記制御部は、計時した時間が所定の時間を経過したと判定した場合、前記通帳を、前記繰出しローラから前記退避搬送路まで搬送させ、前記退避搬送路に前記通帳を保持させる、
ことを特徴とする請求項３に記載の通帳取引装置。
【請求項５】
通帳を収納する収納部と、
前記通帳を繰り出す繰出しローラと、
前記繰出しローラによって繰り出された前記通帳を排出する排出部と、
前記繰出しローラによって繰り出された前記通帳を回収する回収部と、
前記繰出しローラと前記排出部と前記回収部との間で前記通帳を搬送する搬送路と、
前記繰出しローラによって繰り出された前記通帳の表裏の汚れを読み取る読取部と、
前記読取部が前記通帳の汚れを読み取ったか否かを判定し、前記読取部が前記通帳の汚れを読み取ったと判定した場合、前記通帳を、前記繰出しローラから前記回収部まで前記搬送路上を搬送させ、前記通帳を回収する制御部と、
を備えることを特徴とする通帳取引装置。
【請求項６】
複数の収納部あるいは、同一の収納部内に複数の通帳束収納部を有する装置において、
前記通帳束収納部から前記通帳を繰り出す繰出しローラと、
異なる通帳束収納部から交互に前記通帳を前記繰出しローラによって繰り出させる制御部と、
を備えることを特徴とする通帳取引装置。
【発明の詳細な説明】
【技術分野】
【０００１】
本発明は、例えば、金融機関に設置される通帳発行機能を有する自動取引装置に関するものである。
【背景技術】
【０００２】
近年、ＡＴＭ等の自動取引装置には通帳発行機能を搭載したものが多く、出張所等の無人店舗にも通帳発行機能を搭載したものが多く見られ（例えば、特許文献１〜３）、そのため長期間メンテナンスや媒体や消耗品の補充無しで稼動できる装置が望まれている。
【先行技術文献】
【特許文献】
【０００３】
【特許文献１】特開２００５−１５３４２５号公報
【特許文献２】特開平１１−３１０３３４号公報
【特許文献３】特開２００２−３５６２４１号公報
【発明の概要】
【発明が解決しようとする課題】
【０００４】
従来の技術においては、新規通帳を発行するためのカセットなどの装置内には、繰出しローラが設けてあり、通帳を搬送路に繰出している。その際に、通帳を繰出しローラに押し付ける必要があるため、通帳押さえにより押さえつけている。
【０００５】
繰出しローラは、通帳に摩擦力を伝えるためにゴム材が主成分であり、ゴムの硬度を安定させるために可塑剤が配合されたものが一般的である。しかし、このゴムローラの可塑剤は経時と共に接触物に移行する性質がある。
【０００６】
通常、一番先頭の通帳はカセット内にある間、表紙を常に繰出しローラに押し付けられている状態となっている。装置がＡＴＭの場合、出張所などでは何ヶ月も繰出しが行われない場合があり、ローラに添加されている可塑剤が染み出てきて通帳の表紙に汚れが付く場合がある。この表紙の汚れによって利用者に対して汚れのついた通帳を発行してしまう場合があるという問題があった。
【０００７】
本発明は、上記に鑑みてなされたものであって、利用者に対して汚れのない通帳を発行する通帳取引装置を提供することを目的とする。
【課題を解決するための手段】
【０００８】
上述した課題を解決し、目的を達成するために、本発明にかかる通帳取引装置は、通帳を収納する収納部と、前記通帳を繰り出す繰出しローラと、前記繰出しローラによって繰り出された前記通帳を排出する排出部と、前記繰出しローラによって繰り出された前記通帳を回収する回収部と、前記繰出しローラと前記排出部と前記回収部との間で前記通帳を搬送する搬送路と、前記収納部に新たな前記通帳がセットされてからの時間を計時し、計時した時間が所定の時間を経過したか否かを判定し、計時した時間が所定の時間を経過したと判定した場合、前記通帳を、前記繰出しローラから前記回収部まで前記搬送路上を搬送させ、前記通帳を回収する制御部と、を備えることを特徴とする。
【０００９】
また、本発明にかかる通帳取引装置は、通帳を収納する収納部と、前記通帳を繰り出す繰出しローラと、前記繰出しローラによって繰り出された前記通帳を排出する排出部と、前記繰出しローラによって繰り出された前記通帳を回収する回収部と、前記繰出しローラと前記排出部と前記回収部との間で前記通帳を搬送する搬送路と、前記収納部に新たな前記通帳がセットされてからの時間を計時し、計時した時間が所定の時間を経過したか否かを判定し、計時した時間が所定の時間を経過したと判定した場合、前記収納部に収納された複数の前記通帳のうち、前記繰出しローラを所定量回転させて前記繰出しローラに当接する前記通帳の位置を動かすことにより、前記繰出しローラに当接する前記通帳の前記繰出しローラに当接する部分をずらし、前記繰出しローラに当接する部分をずらした状態で前記通帳を保持させる制御部と、を備えることを特徴とする。
【００１０】
また、本発明にかかる通帳取引装置は、通帳を収納する収納部と、前記通帳を繰り出す繰出しローラと、前記繰出しローラによって繰り出された前記通帳を排出する排出部と、前記繰出しローラによって繰り出された前記通帳を回収する回収部と、前記繰出しローラと前記排出部と前記回収部との間で前記通帳を搬送する搬送路と、前記搬送路上の、前記繰出しローラに対して下流の位置に配置され、前記繰出しローラのピッチとは異なるピッチを有する搬送ローラと、前記収納部に新たな前記通帳がセットされてからの時間を計時し、計時した時間が所定の時間を経過したか否かを判定し、計時した時間が所定の時間を経過したと判定した場合、前記通帳を、前記繰出しローラから前記搬送ローラまで搬送させ、前記搬送ローラに前記通帳を保持させる制御部と、を備えることを特徴とする。
【００１１】
また、本発明にかかる通帳取引装置は、通帳を収納する収納部と、前記通帳を繰り出す繰出しローラと、前記繰出しローラによって繰り出された前記通帳を排出する排出部と、前記繰出しローラによって繰り出された前記通帳を回収する回収部と、前記繰出しローラと前記排出部と前記回収部との間で前記通帳を搬送する搬送路と、前記繰出しローラによって繰り出された前記通帳の表裏の汚れを読み取る読取部と、前記読取部が前記通帳の汚れを読み取ったか否かを判定し、前記読取部が前記通帳の汚れを読み取ったと判定した場合、前記通帳を、前記繰出しローラから前記回収部まで前記搬送路上を搬送させ、前記通帳を回収する制御部と、を備えることを特徴とする。
【００１２】
また、本発明にかかる通帳取引装置は、複数の収納部あるいは、同一の収納部内に複数の通帳束収納部を有する装置において、前記通帳束収納部から前記通帳を繰り出す繰出しローラと、異なる通帳束収納部から交互に前記通帳を前記繰出しローラによって繰り出させる制御部と、を備えることを特徴とする。
【発明の効果】
【００１３】
本発明によれば、利用者に対して汚れのない通帳を発行する通帳取引装置を提供することができる。
【図面の簡単な説明】
【００１４】
【図１】通帳発行機能を有する自動取引装置の概略図である。
【図２】図１に示したカセットを内部の概略図である。
【図３】繰出しローラと搬送ローラのローラコマをずらした自動取引装置の概略図である。
【図４】図３に示した繰出しローラと搬送ローラのローラコマのずれの具体的な様子を示す図である。
【図５】繰出しローラと搬送ローラが通帳表紙に接する位置がかぶらない位置に移動された場合の様子を示す図である。
【図６】新たに通帳を一時退避可能な繰出し路を設けた自動取引装置の概略図である。
【図７】図６に示した一時退避可能な繰出し路に設けられた搬送ローラＡ、Ｂ、Ｃの各ローラコマと繰出しローラの関係を示す図である。
【図８】スキャナ等の光学読取装置を有する自動取引装置の概略図である。
【図９】複数の通帳束収納部を有する自動取引装置の概略図である。
【図１０】複数の通帳束収納部を有する自動取引装置の概略図である。
【発明を実施するための形態】
【００１５】
以下に添付図面を参照して、本発明にかかる通帳取引装置の実施の形態を詳細に説明する。以下では、本発明にかかる通帳取引装置を自動取引装置に適用した場合について説明しているが、特にこれに限られるものではない。
【００１６】
図１は、通帳発行機能を有する自動取引装置１０００の概略図である。なお、通帳を発行するためのこれらの各部の制御は、コントローラ１００が行っているものとする。
【００１７】
図１に示すように、媒体挿入/排出口１から通帳を吸入し、光学読取装置２が、吸入された通帳に記載されたバーコード等を読取り、磁気記録部３が、読み取ったバーコード等の磁気データの読み書きを行い、印字部４が、銀行コードや支店コード、口座番号等の文字列を印字する。
【００１８】
頁替え部５は、通帳の頁が満行となった場合には、その頁を捲る。自動取引装置１０００は、通帳を発行するための必要な処理を終えると、媒体挿入/排出口１が通帳を外部に排出する。コントローラ１００は、一定時間経過しても通帳が抜き取られない場合には、再び通帳を吸入して回収箱６に回収する。その理由は、利用者が通帳を取り忘れた場合に、他人に通帳を持っていかれないようにするためである。
【００１９】
コントローラ１００は、通帳が全頁満行となり、繰越が必要になった場合は、繰出しローラ１０を動作させ、カセット７にセットされている発行用の通帳束８の先頭の通帳９を繰出し路１１に搬送し、搬送された通帳が搬送ローラ１２によりメイン搬送路１３に送られる。
【００２０】
そして、コントローラ１００は、メイン搬送路１３に送られた通帳に対して、通帳発行のための必要な処理を行った後、媒体挿入/排出口１から、処理後の通帳を利用者に排出させる。この場合、カセット７の中にセットされている発行用の通帳束８の先頭の通帳９は、通帳押さえ１４により繰出しローラ１０に押し付けられている状態で保持されている。
【００２１】
コントローラ１００は、新たに発行用の通帳がセットされた場合に、タイマ（不図示）をリセットし、リセットしてからの時間を計時する。そして、コントローラ１００は、一旦通帳が繰出された場合には計時しているタイマ（不図示）をリセットする。このとき、繰出しローラ１０から染み出た可塑剤が通帳表紙に蓄積し、目視可能な汚れになるまでの時間を（ｎ＋１）週間と仮定すると、コントローラ１００は、タイマ（不図示）が計時を開始し、通帳がセットされてからｎ週間たっても通帳が発行されていないか否かを判定し、通帳が発行されていないと判定した場合、先頭の通帳９を回収箱６に回収する。このように、所定の期間を経過した先頭の通帳９を回収箱６に回収することにより、汚れが付いた通帳を発行することを防止する。
【００２２】
図２は、図１に示したカセット７の内部の概略図である。なお、図２では、カセット７の内部にセットされた通帳束８の側面（ａ）と、通帳束８の表面（ｂ）を対応付けて示している。
【００２３】
図２に示すように、通帳がセットされてからｎ週間たっても通帳が発行されなかった場合、コントローラ１００は、繰出しローラ１０を回転させ、（１）に示した状態の先頭の通帳９を動かし、通帳表紙１５と繰出しローラ１０と接している部分１６をずらした（２）の状態とする。このことにより、繰出しローラ１０と接している部分１６は繰出しローラ１０から外れるため、それ以上可塑剤が蓄積することはなくなるため、目視可能な汚れとはならない。
【００２４】
そして、新たにローラと接するようになる部分１７は、ｎ週間は汚れが付かないので、（３）に示すように２×ｎ週間汚れが付かない状態を維持できる。このように、ｎ週間ごとに先頭の通帳９をずらしていくことで、ずらした回数×ｎ週間汚れが付かない状態を維持できる。これ以上ずらせない回数までずらしても通帳が発行されなかった場合、先頭の通帳９を回収箱６に回収することにより、汚れが付いた通帳を発行することを防止することができる。
【００２５】
図３は、繰出しローラ１０と搬送ローラ１２のローラコマを、図４に示すようにずらした自動取引装置１０００の概略図である。図３に示す自動取引装置１０００では、通帳がセットされてからｎ週間たっても通帳が発行されなかった場合、コントローラ１００は、繰出しローラ１０を回転させ、先頭の通帳９を図３に示す位置Ａから位置Ｂに移動させる。
【００２６】
そして、図５に示すように、通帳９は、繰出しローラ１０と搬送ローラ１２が通帳表紙１５に接する位置がかぶらない位置に移動されたため、新たにｎ週間は汚れが付かないので２×ｎ週間汚れが付かない状態を維持できる。なお、繰出しローラ１０や搬送ローラ１２が１周する等してこれ以上ずらせない回数までずらしても通帳が発行されなかった場合、コントローラ１００が、先頭の通帳９を回収箱６に回収させることにより、汚れが付いた通帳を発行することを防止することができる。
【００２７】
図６は、新たに通帳を一時退避可能な繰出し路１７を設け、図７に示すように、繰出しローラ１０と搬送ローラＡ、Ｂ、Ｃの各ローラコマをずらすことにより、さらに長い期間汚れが付かない状態を維持できる。図５に示した場合と同様に、これ以上ずらせない回数までずらしても通帳が発行されなかった場合、コントローラ１００が、先頭の通帳９を回収箱６に回収させることにより、汚れが付いた通帳を発行することを防止することができる。
【００２８】
さらに、図８は、新設、もしくはバーコード等を読取るために設置されているスキャナ等の光学読取装置１３を使用し、繰出された通帳の表紙の画像を読み込み、汚れが確認されない場合は通帳を発行する処理のシーケンスに移り、汚れが確認された場合には回収箱６に回収し、次の通帳を繰出して発行する。
【００２９】
このように、カセット７が通帳を収納し、繰出しローラ１０が通帳を繰り出し、媒体挿入/排出口１が繰出しローラ１０によって繰り出された通帳を排出し、回収箱６が繰出しローラ１０によって繰り出された通帳を回収し、搬送路（繰出し路１１、メイン搬送路１３）が繰出しローラ１０と媒体挿入/排出口１と回収箱６との間で通帳を搬送し、コントローラ１００がカセット７に新たな通帳がセットされてからの時間を計時し、計時した時間が所定の時間を経過したか否かを判定し、計時した時間が所定の時間を経過したと判定した場合、通帳を、繰出しローラ１０から回収箱６まで搬送路（繰出し路１１、メイン搬送路１３）上を搬送させ、通帳を回収するので、利用者に対して汚れのない通帳を発行する通帳取引装置を提供することができる。
【００３０】
さらに、図９及び図１０は複数のカセットあるいは、同一カセット内に複数の通帳束収納部１５を有する装置において、複数の通帳収納部に同種の通帳をセットする場合、コントローラ１００は、繰出しローラ１０が通帳束収納部１５-Aから通帳を繰出した場合、次に繰出す際に通帳束収納部１５-Aから通帳を繰出すというように交互に繰出すことで、同じ通帳が繰出しローラと長期間接したままの状態になることを防止し、通帳に汚れが付くことを防止する。
【００３１】
また、ローラの転写を防止するには、繰出し時以外は繰出しローラを通帳から離すことが原理上は最も単純である。しかし、限られたスペースに出来るだけ多くの通帳をセットするためには、繰出しローラの退避機構を設けるスペースを確保するのは難しいが、本発明ではそのようなスペースを確保することなく、現行の機構のまま、あるいは小規模の変更で、このようなローラの転写を防止することができる。
【００３２】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００３３】
１０００  自動取引装置
１  媒体挿入/排出口
２  光学読取装置
３  磁気記録部
４  印字部
５  頁替え部
６  回収箱
７  カセット
８  通帳束
９  先頭の通帳
１０  繰出しローラ
１１  繰出し路
１２  搬送ローラ
１３  メイン搬送路
１４  通帳押さえ
１５  通帳束収納部
１００  コントローラ。
【図１】
2011235489.tif 000003
【図２】
2011235489.tif 000004
【図３】
2011235489.tif 000005
【図４】
2011235489.tif 000006
【図５】
2011235489.tif 000007
【図６】
2011235489.tif 000008
【図７】
2011235489.tif 000009
【図８】
2011235489.tif 000010
【図９】
2011235489.tif 000011
【図１０】
2011235489.tif 000012